(57)【要約】      （修正有）【課題】機密性を確保してコードデータ化することのできる情報入力方法及び情報入力システムを提供する。【解決手段】原稿画像読み取り手段により読み取った複数の原稿に対応する複数の原稿画像データのそれぞれから、予め設定された領域毎の複数の分割画像データを生成する段階と；複数の分割画像データのそれぞれに対して複数の分割画像データ間を対応付け得ない指定データを生成すると共に、個々の原稿画像データを構成する複数の分割画像データの前記指定データ間を対応付ける構成データを生成し記憶する段階と；オペレータに対して、複数の分割画像データを送出すると共に、オペレータからは、個々の分割画像データに応じてコード化された複数の分割データと、指定データとを関係付けて受領する段階と、受領した複数の分割データを、これと関係付けて受領した指定データと構成データとに基づいて個々の原稿画像データに応じて対応付ける段階と；を有する。【選択図】図１
2005135352.tif 000002
【特許請求の範囲】
【請求項１】
原稿に手書き若しくは印字された情報を文字コードデータ化して入力する情報入力方法であって、
原稿画像読み取り手段により読み取った同一フォームの複数の原稿に対応する複数の原稿画像データのそれぞれから、前記フォームに応じて予め設定された領域毎の複数の分割画像データを生成する段階と、
前記原稿画像データ分割手段が生成した前記複数の分割画像データのそれぞれに対して、個々の分割画像データを他と区別できる指定データであって、当該指定データのみからは個々の原稿画像データを構成する複数の分割画像データ間を対応付け得ない指定データを生成すると共に、個々の原稿画像データを構成する複数の分割画像データの前記指定データ間を対応付ける構成データを生成し記憶する段階と、
オペレータに対して、前記複数の分割画像データを送出すると共に、前記オペレータからは、個々の分割画像データに応じて文字コード化された複数の分割文字データと、当該文字コード化された分割画像データに対応する前記指定データとを関係付けて受領する段階と、
受領した前記複数の分割文字データを、これと関係付けて受領した前記指定データと、前記構成データとに基づいて、個々の原稿画像データに応じて対応付ける段階と、
を有することを特徴とする情報入力方法。
【請求項２】
更に、少なくとも２つの異なる端末から受信した、同一の前記指定データに対応した少なくとも２つの分割文字データを比較して一致するか否かを判断する誤入力判断段階を有することを特徴とする請求項１の情報入力方法。
【請求項３】
原稿に手書き若しくは印字された情報を文字コードデータ化して入力する情報入力システムであって、
原稿画像読み取り手段により読み取られて入力された同一フォームの複数の原稿に対応する複数の原稿画像データのそれぞれから、前記フォームに応じて予め設定された領域毎の複数の分割画像データを生成する原稿画像データ分割手段と、
前記原稿画像データ分割手段が生成した前記複数の分割画像データのそれぞれに対して、個々の分割画像データを他と区別できる指定データであって、当該指定データのみからは個々の原稿画像データを構成する複数の分割画像データ間を対応付け得ない指定データを生成すると共に、個々の原稿画像データを構成する複数の分割画像データの前記指定データ間を対応付ける構成データを生成する構成データ生成手段と、
前記原稿画像データ分割手段が生成した前記複数の分割画像データを、前記構成データ生成手段が生成した前記指定データと関係付けて記憶する分割画像データ記憶手段と、
前記構成データ生成手段が生成した前記構成データを記憶する構成データ記憶手段と、
通信回線を通じて接続された端末に対して、前記分割画像データ記憶手段に記憶された前記複数の分割画像データを、個々の原稿画像データを構成する複数の分割画像データ間を対応付け得ない態様にて送信して表示させると共に、前記端末からは、個々の分割画像データに応じて文字コード化された複数の分割文字データと、当該文字コード化された分割画像データに対応する前記指定データとを関係付けて受信する送受信制御手段と、
前記送受信制御手段が前記端末から受信した分割文字データと前記指定データとを関係付けて記憶する分割文字データ記憶手段と、
前記分割文字データ記憶手段に記憶された前記複数の分割文字データを、これと関係付けて前記分割文字データ記憶手段に記憶された前記指定データと、前記構成データ記憶手段に記憶された前記構成データとに基づいて、個々の原稿画像データに応じて対応付ける文字データ統合手段と、
を有することを特徴とする情報入力システム。
【請求項４】
前記分割画像データは、前記複数の原稿の前記読み取り手段による読み取り順序に対して並び替えて前記分割画像データ記憶手段に記憶されることを特徴とする請求項３の情報入力システム。
【請求項５】
前記分割画像データ記憶手段は、前記複数の分割画像データを、少なくとも前記フォームに応じて予め設定された領域の分割画像データ毎に記憶する複数のファイルを有することを特徴とする請求項３又は４の情報入力システム。
【請求項６】
前記送受信制御手段は、前記端末に対して、前記複数の分割画像データを、少なくとも前記フォームに応じて予め設定された領域の分割画像データ毎に送信して表示させることを特徴とする請求項３、４又は５の情報入力システム。
【請求項７】
更に、通信回線を通じて接続された少なくとも２つの異なる端末から受信した、同一の前記指定データに対応した少なくとも２つの分割文字データを比較して一致するか否かを判断する誤入力判断手段を有することを特徴とする請求項３〜６のいずれかの項に記載の情報入力手段。
【発明の詳細な説明】
【技術分野】
【０００１】
本発明は、原稿に手書き若しくは印字された情報を文字コードデータ化して入力する情報入力システムに関し、特に、手書き若しくは印字された原稿の情報を、通信回線で結ばれた分散された複数の端末によって文字コードデータ化して入力する情報入力方法及び情報入力システムに関するものである。
【背景技術】
【０００２】
従来、例えば、種々の申請書、登録書、帳票類、カルテなど、紙面に手書き若しくは印字された個人情報（名前、住所、生年月日、電話番号、性別等）などの情報を文字コードデータ化してコンピュータに入力する際には、例えば、斯かるサービスを提供する業者においてオペレータ（キーパンチャー）が当該原稿を見ながら、項目をひとつずつコンピュータのキーボードを使用してタイプ打ちしていた。
【０００３】
しかしながら、斯かる従来の情報入力方法では、個人情報などの機密性を要される情報を含む原稿に関しては、斯かる情報がオペレータに見られプライバシーが侵害されるなどの理由から、外部の業者に依頼することが躊躇されることがある。又、質の高い文字コードデータを迅速に得ようとすると、熟練のオペレータを大勢確保しなければならず、労働コストが高くなるという問題がある。又、機密性などの懸念から多くのオペレータによらずに文字コードデータ化しようとすれば、時間がかかるという問題がある。
【０００４】
一方、文字コードデータ化のコストを低減するためには、大勢の在宅アルバイトの存在が無視できない。在宅アルバイトであれば、労働コストを抑え得ると共に、大勢の在宅アルバイトを使用することにより、時間を短縮することが可能であろう。
【０００５】
しかしながら、従来の方法によるとすれば、原稿を多くの在宅アルバイトに分配し、文字コードデータを納品させなければならないが、こうした場合、機密性の高い情報を含む原稿に関しては、原稿の紛失など何らかの事故、或いは悪意によりプライバシーの侵害が発生する虞は増大すると言わざるを得ない。
【０００６】
又、在宅アルバイトなどの、所謂、プロではないオペレータによって入力された文字コードデータの信頼性を確保するためには、管理者が、読み直し、読み合わせなどによりチェックする必要があり、多数の在宅アルバイトを使用しても短縮し得る時間には限界があり、又チェック作業のためにコスト低減のメリットも十分に生かせない。
【０００７】
斯かる問題を解決し得る、有用な情報入力方法或いは情報入力システムが提案されたことは、本発明者らの知る限りにおいて未だない。
【発明の開示】
【発明が解決しようとする課題】
【０００８】
本発明は、上述のような問題点を解決するために成されたものであって、その目的とするところは、原稿に手書き若しくは印字された情報を、機密性を確保して文字コードデータ化することのできる情報入力方法及び情報入力システムを提供することである。
【０００９】
又、本発明の他の目的は、原稿に手書き若しくは印字された情報を文字コードデータ化する時間を短縮することのできる情報入力方法及び情報入力システムを提供することである。
【００１０】
更に、本発明の他の目的は、簡易、迅速に文字コードデータ化された情報の信頼性を確保することのできる情報入力方法及び情報入力システムを提供することである。
【課題を解決するための手段】
【００１１】
上記目的は本発明に係る情報入力方法及び情報入力システムにて達成される。要約すれば、本発明の第１の態様は、原稿に手書き若しくは印字された情報を文字コードデータ化して入力する情報入力方法であって、原稿画像読み取り手段により読み取った同一フォームの複数の原稿に対応する複数の原稿画像データのそれぞれから、前記フォームに応じて予め設定された領域毎の複数の分割画像データを生成する段階と；前記原稿画像データ分割手段が生成した前記複数の分割画像データのそれぞれに対して、個々の分割画像データを他と区別できる指定データであって、当該指定データのみからは個々の原稿画像データを構成する複数の分割画像データ間を対応付け得ない指定データを生成すると共に、個々の原稿画像データを構成する複数の分割画像データの前記指定データ間を対応付ける構成データを生成し記憶する段階と；オペレータに対して、前記複数の分割画像データを送出すると共に、前記オペレータからは、個々の分割画像データに応じて文字コード化された複数の分割文字データと、当該文字コード化された分割画像データに対応する前記指定データとを関係付けて受領する段階と；受領した前記複数の分割文字データを、これと関係付けて受領した前記指定データと、前記構成データとに基づいて、個々の原稿画像データに応じて対応付ける段階と；を有することを特徴とする情報入力方法である。
【００１２】
本発明の第２の態様は、原稿に手書き若しくは印字された情報を文字コードデータ化して入力する情報入力システムであって、原稿画像読み取り手段により読み取られて入力された同一フォームの複数の原稿に対応する複数の原稿画像データのそれぞれから、前記フォームに応じて予め設定された領域毎の複数の分割画像データを生成する原稿画像データ分割手段と；前記原稿画像データ分割手段が生成した前記複数の分割画像データのそれぞれに対して、個々の分割画像データを他と区別できる指定データであって、当該指定データのみからは個々の原稿画像データを構成する複数の分割画像データ間を対応付け得ない指定データを生成すると共に、個々の原稿画像データを構成する複数の分割画像データの前記指定データ間を対応付ける構成データを生成する構成データ生成手段と；前記原稿画像データ分割手段が生成した前記複数の分割画像データを、前記構成データ生成手段が生成した前記指定データと関係付けて記憶する分割画像データ記憶手段と；前記構成データ生成手段が生成した前記構成データを記憶する構成データ記憶手段と；通信回線を通じて接続された端末に対して、前記分割画像データ記憶手段に記憶された前記複数の分割画像データを、個々の原稿画像データを構成する複数の分割画像データ間を対応付け得ない態様にて送信して表示させると共に、前記端末からは、個々の分割画像データに応じて文字コード化された複数の分割文字データと、当該文字コード化された分割画像データに対応する前記指定データとを関係付けて受信する送受信制御手段と；前記送受信制御手段が前記端末から受信した分割文字データと前記指定データとを関係付けて記憶する分割文字データ記憶手段と；前記分割文字データ記憶手段に記憶された前記複数の分割文字データを、これと関係付けて前記分割文字データ記憶手段に記憶された前記指定データと、前記構成データ記憶手段に記憶された前記構成データとに基づいて、個々の原稿画像データに応じて対応付ける文字データ統合手段と；を有することを特徴とする情報入力システムが提供される。
【００１３】
本発明の一実施態様によると、情報入力方法は更に、少なくとも２つの異なる端末から受信した、同一の前記指定データに対応した少なくとも２つの分割文字データを比較して一致するか否かを判断する誤入力判断段階を有する。
【００１４】
本発明の一実施態様によると、前記分割画像データは、前記複数の原稿の前記読み取り手段による読み取り順序に対して並び替えて前記分割画像データ記憶手段に記憶される。本発明の他の実施態様によると、前記分割画像データ記憶手段は、前記複数の分割画像データを、少なくとも前記フォームに応じて予め設定された領域の分割画像データ毎に記憶する複数のファイルを有する。本発明の他の実施態様によると、前記送受信制御手段は、前記端末に対して、前記複数の分割画像データを、少なくとも前記フォームに応じて予め設定された領域の分割画像データ毎に送信して表示させる。本発明の更に他の実施態様によると、情報入力システムは更に、通信回線を通じて接続された少なくとも２つの異なる端末から受信した、同一の前記指定データに対応した少なくとも２つの分割文字データを比較して一致するか否かを判断する誤入力判断手段を有する。
【発明の効果】
【００１５】
本発明によれば、
（１）例えば、原稿に手書き若しくは印字された情報を、機密性を確保して文字コードデータ化することができる。
（２）原稿に手書き若しくは印字された情報を文字コードデータ化する時間を短縮することができる。
（３）簡易、迅速に文字コードデータ化された情報の信頼性を確保することができる。
といった格別なる効果を奏し得る。
【発明を実施するための最良の形態】
【００１６】
以下、本発明に係る情報入力方法及び情報入力システムを図面に則して更に詳しく説明する。
【００１７】
実施例１
先ず、図１を参照して、本発明に係る情報入力システムの一実施例の全体構成及び概略手順について説明する。本実施例では、情報入力システム１００は、原稿に手書き若しくは印字された情報を文字コードデータ化するサービス提供者（管理者）の管理のもと、複数のオペレータ（例えば、在宅アルバイト）が原稿の情報を文字コードデータ化するものとして説明する。
【００１８】
本実施例では、情報入力システム１００は、管理者が管理する管理部１に、原稿画像読み取り手段としてのスキャナ装置４０と、スキャナ装置４０で読み取った原稿画像Ｇを所定の領域毎に分割して分割画像ファイルｇとするコンピュータとされる分割部２０と、分割画像ファイルｇが保存されると共に通信回線２を介して複数の端末３と通信可能に接続され、複数の端末３に分割画像データｇを配信し、且つ、各分割画像データｇに対応して入力された分割文字コードデータｔを受信するサーバ１０と、分割文字データを原稿画像データＧに対応して復元するコンピュータとされる統合部３０と、を有する。
【００１９】
先ず、入力すべき情報、例えば、個人情報（氏名、住所、電話番号など）を含む手書き若しくは印字された所定のフォーム（様式、形式）の原稿Ｐを、スキャナ装置４０を使用して全てデジタル画像データ（原稿画像データ）Ｇとして分割部２０に入力する。分割部２０は、原稿画像データＧを、個々では全体を想像できない程度、例えば、氏名、住所、電話番号といった項目毎の情報単位の、原稿Ｐのフォームに応じて予め設定された領域毎に分割して分割画像データｇとする。この時、分割部２０は、個々の分割画像データｇを他と区別でき、且つ、それのみからは個々の原稿画像データＧを容易に構成し得ないファイル名（指定データ）ｓを付して、好ましくは並べ替えて記憶する。同時に、分割部２０は、ファイル名ｓをキーとして個々の分割画像データｇが複数の原稿画像データＧの全体のどの部分かを示すリスト（構成データ）Ｌを作成する。このリストＬは、個々の分割画像データｇに対応する分割文字データｔを再構成して、個々の原稿Ｐに対応する統合された文字データＴを得る際の鍵となるものである。
【００２０】
分割画像データｇを通信回線、通常、インターネット網などの公衆回線網（専用回線であってもよい。）に接続されたサーバ（ＷＥＢサーバなど）１０に記憶させて、例えば、予めユーザーアカウント（ユーザーＩＤ、パスワードなど）を設定しているオペレータの端末３に配信する。オペレータは、端末３により分割画像データｇを閲覧して、個々の分割画像データｇに対応する文字コードデータをキーボードによりキー入力する。そして、所定の手順により、端末３より入力した分割画像データｇに対応して文字コードデータ化された分割文字データｔを、その分割画像データｇのファイル名ｓと関係付けてサーバ１０に送信（報告）する。この時、サーバ１０は、端末３に対して、分割画像データｇを項目（氏名、住所、電話番号など）毎に表示させたり、全体として無意味に配列するなどして、端末３からは個々の原稿画像データＧを構成する一連の分割画像データｇを閲覧できないようにする。詳しくは後述するが、例えば、「氏名」、「住所」、「電話番号」の情報を含む原稿Ｐの文字コードデータ化する場合において、「氏名」の項目の分割画像データｇを閲覧して、該項目の情報のみを文字コードデータ化するオペレータが居る一方で、「住所」の項目の分割画像データｇのみを閲覧して、該項目の情報のみを文字コードデータ化するオペレータが居るようにすることができる。
【００２１】
こうして、全ての分割画像データｇに対応する分割文字データｔが入力された時点で、統合部３０において、全ての分割文字データｔを、上記リストＬに基づいて統合して、個々の原稿Ｐに対応して統合された一連の文字データＴを構成する。そして、管理者は、この統合文字データＴを、原稿情報の文字コードデータ化を依頼した者に納品する。又、オペレータに対しては、入力データ数などに応じて賃金の精算をする。
【００２２】
つまり、概すれば、本発明によれば、原稿画像データＧを分割した後、特定のルールに従って並び替えをしてサーバ上に保存する。そして、オペレータによって全ての分割画像データｇの文字コードデータ化が完了した後に、原稿画像データＧを分割したときの特定のルールの逆の作業を行うことで、文字コードデータ化された情報を、原稿に応じて再構成する。
【００２３】
斯かる情報入力システム１００によれば、オペレータは、ごく一部の分割画像データｇ若しくは全体として無意味に配列表示された分割画像データｇしか閲覧することができないため、例えば、個人情報などの機密性を要する情報を一連の有意な単位若しくは全体で知ることはできない。
【００２４】
又、分割画像データｇには、それのみからでは個々の原稿画像データＧを構成する一連の分割画像データｇを組み合わせ得ないファイル名が付されて、好ましくは適当に並び替えてサーバ１０に保存されているので、何らかの事故若しくは悪意によりサーバ１０に記憶された分割画像データｇ、或いは分割文字データｔが盗み見られたとしても、順不同にランダムなデータが並んでいるだけなので、例えば、個人情報などを有意の単位若しくは全体として取得することはできない。
【００２５】
加えて、リストＬがない限り個々の原稿画像データＧを構成する一連の分割画像データｇ、或いは分割文字データｔを組み合わせることは不可能であるので、好ましくは、サーバ１０と、分割部２０、統合部３０とを独立させ、更にリストＬを適当な取り外し可能の記憶手段に記憶させて出力し、管理者が個別に保管すようにすれば、このリストＬが極めて悪意に取得されない限り、個人情報などの機密性を要する原稿情報が漏洩することはない。
【００２６】
図２をも参照すると、サーバ１０、分割部２０、スキャナ装置４０及び統合部３０を備える管理部１と、インターネットなどの通信回線を介してサーバ１０に接続された複数の端末３を有して構成される本実施例の情報入力システム１００が、機能手段毎により詳しく示されている。
【００２７】
スキャナ装置４０は、同一フォームの複数の原稿を読み取って、デジタル画像信号（原稿画像データ）Ｇに変換し、スキャナ装置４０が接続された分割部２０に送信する。好ましくは、スキャナ装置４０は、周知のＡＤＦ（automatic document feeder：原稿給紙機構）を備えたものである。これにより複数の原稿Ｐを連続して、しかも高速に読み込むことができる。
【００２８】
分割部２０は、本発明に従って機能するようにプログラム可能な、一般的なコンピュータであってよく、分割部２０における各処理を実行し、特に、後述する原稿画像データ分割手段２１ａ、構成データ（リスト）生成手段２１ｂとして機能する演算制御部（ＣＰＵ：中央演算処理装置）２１を有する。又、ＬＣＤやＣＲＴなどとされる表示部２２、キーボードやマウス（ポインタ）などとされる入力部２３、分割部２０における各処理の手順（プログラム）が記憶されたメインメモリ２４、原稿画像データＧが一時的に記憶される原稿画像データ一時記憶部２５、分割画像データｇが一時的に記憶される分割画像データ一時記憶部２６が、演算制御部２１に接続されている。メインメモリ２４、原稿画像データ一時記憶部２５及び分割画像データ一時記憶部２６は、ハードディスクに代表される公知任意の記憶手段であってよい。又、これらメインメモリ２４、原稿画像データ一時記憶部２５及び分割画像データ一時記憶部２６の全て若しくは幾つかを、ハードディスクなどの単一のデバイスにて実現することもできる。
【００２９】
分割部２０の原稿画像データ分割手段２１ａは、スキャナ装置４０により読み取られて入力され、一時的に原稿画像データ一時記憶部２５に記憶された同一フォームの複数の原稿Ｐに対応する複数の原稿画像データＧのそれぞれから、該フォームに応じて予め設定された領域毎の複数の分割画像データｇを生成する。尚、原稿画像データ一時記憶部２５に記憶した原稿画像データＧは、原稿画像データ分割手段２１ａによって分割して所望の分割画像データｇを得た後に、逐次に或いは纏めて削除してよい。
【００３０】
一方、分割部２０の構成データ生成手段２１ｂは、原稿画像データ分割手段２１ａが生成した複数の分割画像データｇのそれぞれに対して、個々の分割画像データｇを他と区別できるファイル名（指定データ）ｓであって、当該指定データのみからは個々の原稿画像データＧを構成する複数の分割画像データｇ間を対応付け得ないファイル名ｓを生成する。同時に、構成データ生成手段２１ｂは、このファイル名ｓをキーとして、個々の原稿画像データＧを構成する複数の分割画像データｇ間を対応付けるリストＬを生成する。
【００３１】
原稿画像データ分割手段２１ａが生成した複数の分割画像データｇは、構成データ生成手段２１ｂが生成したファイル名ｓと関係付けて、一時的に分割画像データ一時記憶部２６に記憶させる。そして、本実施例では、ファイル名ｓが付されて分割画像データ一時記憶部２６に記憶された分割画像データｇは、分割部２０の演算制御部２１が、読み取り書き込み手段２７を介して、取り外し可能な記憶手段（フレキシブルディスク、ＣＤ−Ｒ、ＤＶＤ−Ｒなど適宜任意の形態でよい。）とされる転送媒体５２を介して、分割部２０からサーバ１０へと転送される。このように、分割画像データｇの転送媒体５２を取り外し可能な記憶手段とすることで、更に機密保持性を高め得る。尚、分割画像データ一時記憶部２６に記憶された分割画像データｇは、サーバ１０へと転送された後に削除してよい。
【００３２】
又、構成データ生成手段２１ｂが生成したリストＬは、構成データ記憶手段５１に記憶される。本実施例では、リストＬは、構成データ生成手段２１ｂが、読み取り書き込み手段２７を介して、取り外し可能な記憶手段（フレキシブルディスク、ＣＤ−Ｒ、ＤＶＤ−Ｒなど適宜任意の形態でよい。）とされる構成データ記憶手段５１に記憶させる。そして、この構成データ記憶手段５１は、分割部２０から取り出される。このようにして、リストＬを記憶した構成データ記憶手段５１は、管理者が機密性を確保して別途保管するのが好ましい。
【００３３】
一方、サーバ１０は、本発明に従って機能するようにプログラム可能な、一般的なサーバ（コンピュータ）であってよく、サーバ１０における各処理を実行し、特に、後述する送受信制御手段１１ａとして機能する演算制御部（中央演算処理装置）１１を有する。又、サーバ１０における各処理の手順（プログラム）が記憶されたメインメモリ１４、分割画像データｇが記憶される分割画像データ記憶手段１２、分割文字データｔが記憶される分割文字データ記憶手段１３が、演算制御部１１に接続されている。メインメモリ１４、分割画像データ記憶手段１２及び分割文字データ記憶手段１３は、ハードディスクに代表される公知任意の記憶手段であってよい。又、これらメインメモリ１４、分割画像データ記憶手段１２及び分割文字データ記憶手段１３の全て若しくは幾つかを、ハードディスクなどの単一のデバイスにて実現することもできる。
【００３４】
サーバ１０の演算制御部１１は、読み取り書き込み手段１６を介して、転送媒体５２から読み込んだ分割画像データｇを、ファイル名ｓと関係付けて分割画像データ記憶手段１２に記憶させる。
【００３５】
サーバ１０の送受信制御手段１１ａは、通信回線２を通じて接続された端末３に対して、分割画像データ記憶手段１２に記憶された複数の分割画像データｇを、ファイル名ｓと関係付けて、又、個々の原稿画像データＧを構成する複数の分割画像データｇ間を対応付け得ない態様にて送出して表示させる。一方、送受信制御手段１１ａは、端末３から、個々の分割画像データｇに応じて文字コード化された複数の分割文字データｔと、当該文字コード化された分割画像データｇに対応するファイル名ｓとを関係付けて受信する。そして、サーバ１０の送受信制御手段１１ａは、端末３から受信した分割文字データｔとファイル名ｓとを関係付けて、分割文字データ記憶手段１３に記憶させる。
【００３６】
尚、各端末３は、インターネットなどの通信回線２を介してサーバ１０と通信可能に接続されており、ＬＣＤやＣＲＴなどとされる表示部３ａと、キーボードやマウスといった入力部３ｂとを備える一般的なコンピュータであってよい。そして、端末３が備える、ハードディスクなどとされる記憶手段には、少なくとも表示部３ａに表示されるインターフェースを介してサーバ１０との間でデータの送受信を可能とするプログラムがインストールされている。
【００３７】
上述のようにしてファイル名ｓが付されて分割文字データ記憶手段１３に記憶された分割文字データｔは、本実施例では、サーバ１０の演算制御部１１が、読み取り書き込み手段１６を介して、取り外し可能な記憶手段（フレキシブルディスク、ＣＤ−Ｒ、ＤＶＤ−Ｒなど適宜任意の形態でよい。）とされる転送媒体５３に記憶させ、サーバ１０から統合部３０へと転送される。尚、このようにして、分割文字データｔの転送媒体５３を取り外し可能な記憶手段とすることで、機密保持性を更に高めることができる。
【００３８】
統合部３０は、本発明に従って機能するようにプログラム可能な、一般的なコンピュータであってよく、統合部３０における各処理を実行し、特に、後述する文字データ統合手段３１ａとして機能する演算制御部（中央演算処理装置）３１を有する。又、ＬＣＤやＣＲＴなどとされる表示部３２、キーボードやマウス（ポインタ）などとされる入力部３３、統合部３０における各処理の手順（プログラム）が記憶されたメインメモリ３４、分割文字データｔが一時的に記憶される分割文字データ一時記憶部３５、統合された文字データＴが一時的に記憶される統合文字データ一時記憶部３６が、演算制御部３１に接続されている。メインメモリ３４、分割文字データ一時記憶部３５及び統合文字データ一時記憶部３６は、ハードディスクに代表される公知任意の記憶手段であってよい。又、これらメインメモリ３４、分割文字データ一時記憶部３５及び統合文字データ一時記憶部３６の全て若しくは幾つかを、ハードディスクなどの単一のデバイスで実現することもできる。
【００３９】
統合部３０の演算制御部３１は、読み取り書き込み手段３７を介して、転送媒体５３から読み込んだ分割文字データｔを、ファイル名ｓと関係付けて分割文字データ一時記憶部３５に記憶させる。
【００４０】
そして、統合部３０の文字データ統合手段３１ａは、分割文字データ一時記憶手段３５に一時的に記憶された複数の分割文字データｔを、これと関係付けて記憶されたファイル名ｓと、構成データ記憶手段５１から読み取り書き込み手段３７を介して読み込んだリストＬとに基づいて、個々の原稿画像データＧを構成する複数の分割文字データｔ毎に対応付けて再構成された統合文字データＴを生成する。統合文字データＴは、統合文字データ一時記憶部３６に記憶され、次いで、本実施例では、統合部３０の演算制御部３１が、読み取り書き込み手段３７を介して取り外し可能な記憶手段（フレキシブルディスク、ＣＤ−Ｒ、ＤＶＤ−Ｒなど適宜任意の形態でよい。）とされる、納品用媒体５４を介して、原稿の文字コードデータ化の依頼者に納品する。尚、統合文字データＴを納品用媒体５４に記憶させた後には、分割文字データ一時記憶部３５、統合文字データ一時記憶部３６に記憶させた分割文字データｔは削除してよい。又、サーバ１０の分割画像データ記憶手段１２、分割文字データ記憶手段１３、更には構成データ記憶手段５１に記憶された情報も削除するとよい。
【００４１】
尚、説明の都合上、機能ブロックとしての分割部２０と統合部３０とは異なるコンピュータ上で実現されるものとしたが、当然、同一のコンピュータにて上述のような分割部２０と統合部３０の機能を実現してもよい。又、機密性の点で、分割部２０及び統合部３０は、サーバ１０とは独立したコンピュータで実現し、又構成データ記憶手段５１は取り外し可能な記憶手段にて実現するのが最も好ましいが、機密性が確保されるのでれば、分割部２０及び／又は統合部３０をサーバ１０と同一のコンピュータで実現するか、或いは分割部２０及び／又は統合部３０をサーバ１０とＬＡＮ接続するなどし（この場合、分割画像データｇの転送媒体５２、分割文字データｔの転送媒体５３は、ＬＡＮケーブルなどの通信手段となる。）、又構成データ記憶手段５１をも同一のコンピュータが備える記憶手段で実現してもよい。
【００４２】
一方、サーバ１０は、インターネット上のサービスプロバイダーに設置されていてもよい。この場合、通常、分割画像データｇの転送媒体５２、分割文字データｔの転送媒体５３は、サービスプロバイダーが備えるサーバと、分割部２０・統合部３０とを接続する通信回線（電話回線などの公衆回線網など）となる。
【００４３】
図３〜図９をも参照して、本実施例における情報入力方法を更に具体的に説明する。ここでは、原稿Ｐが個人情報として氏名、住所、電話番号を含む手書き若しくは印字された情報を含むものとして、スキャナ装置４０での読み込み順序に従って第１〜第ｎ番目の原稿Ｐ１〜Ｐｎ（即ち、第１〜第ｎの原稿画像データＧ１〜Ｇｎ）に下記表１に示す各項目の情報が記載された単純化された例について説明する。当業者は、より多くの原稿Ｐ、或いはより複雑なフォームに対しても本発明を適用し得るものであることを、本明細書の記載から容易に理解されよう。
【００４４】
【表１】
2005135352.tif 000003
【００４５】
分割部２０のメインメモリ２４には、文字コードデータ化すべき原稿のフォームに応じて、例えば、図３に示すように、氏名、住所、電話番号といった項目毎に、原稿画像データＧ上の座標によって第１、第２、第３の分割領域ｒ１、ｒ２、ｒ３が設定されている。従って、分割部２０の原稿画像データ分割手段２１ａは、スキャナ装置４０によって連続して読み取られた同一フォームの複数の原稿Ｐのそれぞれの分割領域ｒ１、ｒ２、ｒ３を次々に分割（抽出）し、複数の分割画像データｇとする。
【００４６】
そして、分割部２０の構成データ生成手段２１ｂは、メインメモリ２４に記憶されている所定の手順により、例えば、図４に示すように各分割画像データｇにファイル名を付す。ここでは、図４（ａ）に示すように、「氏名」の項目に対応する第１の分割領域ｒ１から抽出した分割画像データｇに、ファイル名ｓとして「ａ」、「ｂ」、「ｃ」、「ｄ」を、図示の通りに付す。又、図４（ｂ）に示すように、「住所」の項目に対応する第２の分割領域ｒ２から抽出した分割画像データｇに、ファイル名ｓとして、「α」、「β」、「γ」、「δ」を、図示の通りに付す。更に、図４（ｃ）に示すように、「電話番号」の項目に対応する第３の分割領域ｒ３から抽出した分割画像データｇに、ファイル名ｓとして、「Ｉ」、「ＩＩ」、「ＩＩＩ」、「ＩＶ」を、図示の通りに付す。
【００４７】
図４から分かるように、ファイル名は、個々の分割画像データｇを他から区別可能で、且つ、個々の原稿画像データＧを構成する複数の分割画像データｇを対応付け得ない態様で付す。つまり、本例では、「氏名」、「住所」、「電話番号」といった項目間で、ファイル名ｓは順不同になっており、ファイル名ｓのみをキーとして、１つの原稿画像データＧを構成する項目毎の一連の分割画像データｇを関係付けることができないようになっている。
【００４８】
又、更に各分割領域ｒ毎に異なる記憶単位（フォルダ）に分けて記憶するなどして、分割画像データｇに付したファイル名に応じて昇順に並べ変え、スキャナ装置４０による原稿Ｐの読み取り順序に対応付け得ないように、即ち、更に個々の原稿画像データＧを構成する一連の分割画像データｇを対応付けることを困難とすることができる。
【００４９】
尚、本実施例では、各分割領域ｒ毎に所定のルール（アルファベット、ギリシャ文字、ギリシャ数字）でファイル名ｓを付すものとしたが、本発明はこの態様に何ら限定されるものではないことは明らかである。例えば、各項目毎にランダムにファイル名ｓを付したり、或いは全ての分割画像データｇに対して所定のルールで若しくはランダムにファイル名ｓを付してもよい。
【００５０】
一方、構成データ生成手段２１ｂは、上記のように付したファイル名ｓをキーとして各原稿画像データＧを構成する複数の分割画像データｇを対応付けるために、例えば、図５に示すようなリストＬを作成する。これにより、各項目毎につけられたファイル名ｓ同士を対応付けて、個々の原稿画像データＧを構成する分割画像データｇ間の関係を知ることができる。
【００５１】
図８は、スキャナ装置４０による原稿Ｐの読み込んでから、分割画像データｇ、リスト（構成データ）Ｌを生成するまでの一連の手順の一例をより具体的に示すフローチャート図である。図示の通り、本例では、ｎ枚の原稿Ｐをスキャナ装置４０で読み取る（ステップ（Ｓ）１０１）。原稿画像データ分割手段２１ａは、メインメモリ２４に記憶された領域データに基づいて、原稿画像データＧから切り出す部分の座標を測定し（Ｓ１０２）、測定された座標を基に、原稿画像データＧから画像を切り出す（Ｓ１０３）。構成データ生成手段２１ｂは、その画像に、上述のようにしてダブりのないようにファイル名Ｓを付し（Ｓ１０４）、このファイル名ｓと関係付けて分割画像データｇを分割画像一時記憶部２６に記憶させる（Ｓ１０５）。又、構成データ生成手段２１ｂは、Ｓ１０４で付したファイル名ｓと原稿番号の対応をリスト（構成データ）Ｌとして構成データ記憶手段５１に記憶させる（Ｓ１０６）。次いで、演算制御部２１は、同原稿画像データＧに対して予め設定された分割領域ｒの全てを分割したか否かを判断し（Ｓ１０７）、他に分割すべき領域ｒが残っている場合には、Ｓ１０２に戻って残りの分割領域ｒに対して上述の動作を繰り返す。そして、同原稿画像データＧに対する全ての分割領域ｒの画像を抽出したら、スキャナ装置４０にて読み込んだ原稿ｎ枚分上述の動作を繰り返す（Ｓ１０８）。尚、リストＬは、全ての原稿画像データＧについて、全ての分割領域ｒの画像を切り出し、ファイル名を付すまでは演算制御部２１の記憶部などに一時的に記憶しておいて、全て揃った段階で構成データ記憶手段５１にさせてもよい。
【００５２】
一方、サーバ１０においては、送受信制御手段１１ａが、分割画像データ記憶手段１２に記憶された分割画像データｇを、端末３からの要求に応じて各端末３に送信する。この時、送受信制御手段１１ａは、分割画像データｇを、個々の原稿画像データＧを構成する複数の分割画像データｇ間を対応付け得ない態様で端末３の表示部３ａに表示させる。
【００５３】
本実施例では、オペレータが端末３からサーバ１０にアクセスすると、サーバ１０は、端末３の表示部３ａに、例えば、図６に示すようなページ（入力画面）を表示させる。
【００５４】
図６に示す例では、送受信制御手段１１ａは、メインメモリ１４に記憶された手順に従って、サーバ１０に接続された端末３毎、より詳細にはオペレータのアカウント毎に割り振られた一部の分割画像データｇを送信し、端末３の表示部３ａに表示させる。即ち、予めオペレータ毎にアカウント（ユーザーＩＤ、パスワードなど）を設定し、サーバ１０の送受信制御手段１１ａは、記憶手段としてメインメモリ１４にアカウントが登録されているオペレータのみ端末３から入力画面にアクセスできるようにすると共に、入力されたアカウント情報に基づいて、予め記憶手段としてメインメモリ１４に管理者が登録されたルールに従って、アカウント毎に分割画像データｇの部分を送信し、表示させる。例えば、「氏名」の項目の分割画像データｇのみが表示される入力画面Ｈ１、「住所」の項目の分割画像データのみが表示される入力画面Ｈ２、「電話番号」の項目の分割画像データのみが表示される入力画面Ｈ３のいずれかが、各オペレータ（アカウント）の端末３の表示部３ａに表示される。
【００５５】
ここで、複数の分割画像データｇの表示順序は、サーバ１０の分割画像データ記憶手段１２に項目毎のファイルとして記憶されたものを、スキャナ装置４０による原稿Ｐの読み取り順序とは独立して上述のように付されたファイル名ｓによる昇順など適当な順番で配列して表示させてもよいし、更に表示させる際に送受信制御手段１１ａが並び変えてもよい。
【００５６】
入力画面Ｈ１（Ｈ２、Ｈ３）には、少なくとも文字コードデータ化されるべき分割画像データｇと、その横或いは上下などに当該分割画像データｇと対応して設けられたテキストデータを入力可能な入力欄Ｈａ、入力したデータのサーバ１０への送信を端末３に指示するための送信ボタンＨｂの表示領域が表示される。オペレータは、この入力欄Ｈａに、対応する分割画像データｇの内容を入力部（キーボード）３ｂからタイプ入力し、文字コードデータ化する。
【００５７】
そして、所定の単位の分割画像データｇに対応する分割文字データｔを入力した際或いは１つの分割画像データｇに対応する分割文字データｔを入力する毎に、送信ボタンＨｂの表示領域を端末３の入力部（ポインタ）３ｂを用いてクリックするなどの所定の手順によって、分割画像データｇに応じて文字コードデータ化された分割文字データｔをサーバ１０に送信する。この時、特定の分割画像データｇに対応して設けられた分割文字データ入力欄Ｈａに分割文字データｔを入力して送信ボタンＨｂをクリックすると、その文字データｔと関係付けて、当該文字データｔに対応する分割画像データｇのファイル名ｓがサーバ１０に送信される。換言すれば、端末３にて所定の分割文字データ入力欄Ｈａに文字コードデータが入力されることにより、サーバ１０の送受信制御手段１２は、対応する分割画像データｇのファイル名ｓを認識し、そのファイル名ｓと関係付けて分割文字データｔを分割文字データ記憶手段１３に記憶させる。尚、別途、ファイル名ｓをオペレータに入力させ、分割文字データｔと関係付けてサーバ１０に送信するようにしてもよい。
【００５８】
上述のようにしてオペレータが送信ボタンの表示領域Ｈｂをクリックするなどして、所定単位毎に分割文字データｔの送信を指示すると、サーバ１０は新たに分割画像データｇを送信して表示させ、所定の終了指示が端末３からサーバ１０に送信されるまで、上述のようなサーバ１０からの分割画像データｇの送信、端末３からの分割文字データｔの送信が繰り返される。
【００５９】
こうしてサーバ１０の分割文字データ記憶手段１３に、分割文字データｔが対応する分割画像データｇのファイル名ｓと関係付けられて記憶される。このとき、分割文字データｔは、ファイル名ｓ或いはオペレータのアカウント情報をキーとして、項目毎など所定の単位に纏めて記憶させてもよいし、１つのファイルにランダムに記憶させてもよい。
【００６０】
尚、本実施例では、オペレータのアカウント毎に入力するべき分割画像データｇの項目を割り振るとしたが、本発明はこれに何ら限定されるものではない。例えば、「氏名」、「住所」、「電話番号」といった項目毎の入力画面（ページ）Ｈ１、Ｈ２、Ｈ３をオペレータが端末３から選択し、サーバ１０の送受信制御手段１１ａがその要求に応じて、所望の分割画像データｇを送信し表示させるようにしてもよい。或いは、サーバ１０の送受信制御手段１１ａが、記憶手段としてメインメモリ１４に予め設定された所定の手順に従って逐次に分割画像データｇを選択して端末３に送信して表示させ、文字コードデータ化するように促してもよい。又、同時に複数の端末３からのアクセスがある場合に、それぞれのアカウントに対して、分割画像データｇを逐次に割り振って送信して表示させ、文字コードデータ化を促すようにしてもよい。つまり、個々の原稿画像データＧを構成する一連の分割画像データｇ間を対応付け得ない態様であれば、適宜任意の表示態様を採用することができる。
【００６１】
図９は、オペレータが端末３からサーバ１０にアクセスしてから、サーバ１０に分割文字データｔが記憶されるまでの一連の手順の一例をより具体的に示すフローチャート図である。図示の通り、本例では、オペレータが端末３からサーバ１０にアクセスすると（Ｓ３０１）、サーバ１０の送受信制御手段１１ａは、端末３に対してユーザ名、ＩＤなどのアカウント情報を入力を促す表示（図示せず）を行う信号を送信する（Ｓ２０１）。オペーレタが端末３からアカウント情報を入力すると（Ｓ３０２）、サーバ１０の送受信制御手段１１ａは、アカウント情報が、予め設定されメインメモリ１４に登録されているものと適合するか否かを判断する（Ｓ２０２）。ここで、適合しない場合には、サーバ１０の送受信制御手段１１ａは、アカウント情報の再入力を促したり、ホームページへのアクセスを拒否する表示を端末３に表示することができる（図示せず）。一方、入力されたアカウント情報が適合するものであった場合には、分割文字画像データの送信を端末３から指示可能となっており、又その他の所定の情報が記載されたホームページ（図示せず）を表示させる信号を端末３に送信する（Ｓ２０３）。
【００６２】
次いで、オペレータが端末３から送信要求ボタンの表示領域をクリックするなどの所定の手順により、分割画像データｇの送信を依頼する信号をサーバ１０に送信すると（Ｓ３０３）、サーバ１０の送受信制御手段１１ａは、入力されたアカウント情報に応じて、分割画像データ記憶手段１２から当該アカウントのオペレータに送信すべき分割画像データ（例えば、上述のように項目毎の分割画像データｇ）を選択し（Ｓ２０４）、選択した分割画像データｇをファイル名ｓと関係付けて端末３に送信する（Ｓ２０５）。これにより、端末３では、例えば、図６に示すように、サーバ１０から送信された分割画像データｇと、その分割画像ｇに対応して文字コードデータ化された分割文字データｔを入力すべき入力欄Ｈａ、送信ボタンＨｂなどが表示される（Ｓ３０４）。オペレータは、表示された入力欄Ｈａに、端末３の入力部３ｂを用いて対応する分割画像データｇのテキストをタイプ入力する（Ｓ３０５）。その後、オペレータが送信ボタンＨｂをクリックするなどの所定の手順により分割文字データｔ及びファイル名ｓの送信を指示すると、分割文字データｔと対応するファイル名ｓが、端末３からサーバ１０に送信される（Ｓ３０６）。サーバ１０の送受信制御手段１１ａは、端末３から分割文字データｇをファイル名ｓと関係付けて受信し（Ｓ２０６）、この分割文字データｔをファイル名ｓと関係付けて分割文字データ記憶手段１３に記憶させる（Ｓ２０７）。そして、端末３からの続く分割画像データｇの送信依頼信号を受信したか否かを判断し（Ｓ２０８）、斯かる信号を受信した場合は、Ｓ２０４に戻り、上述の動作を繰り返す。一方、端末３においても、個別に設けられた分割画像データ送信要求ボタンの表示領域をクリックしたり、或いは送信ボタンＨｂの表示領域をクリックすることにより同時に、分割画像データ送信依頼信号が入力されたかを判断し（Ｓ３０７）、送信依頼すべきである場合には、Ｓ３０３に戻り、上述の動作が繰り返される。
【００６３】
続いて、統合部３０においては、分割文字データｔの転送媒体５３を介してサーバ１０の分割文字データ記憶手段１３から転送されて、分割文字データ一時記憶部３５に記憶された分割文字データｔを、リストＬに従って個々の原稿画像データＧに応じて対応付け、統合する。即ち、例えば図７に示すように、分割文字データ一時記憶部３５には、例えば、「氏名」、「住所」、「電話番号」の項目毎に、分割文字データｔとファイル名ｓとが関係付けられて記憶されている。統合部３０の文字データ統合手段３１ａは、構成データ記憶手段５１に記憶されたリストＬを読み込み、これを参照することで、例えば、スキャナ装置４０での読み取り順序（原稿番号１、２、３・・・ｎ）に従って昇順に、各項目の分割文字データｔを組み合わせて行く。例えば、リストＬに保存されている原稿番号に従うファイル名ｓの順序と、分割文字データｔのファイル名ｓの順序を同じにして、分割文字データｔを並び替える。こうして並び替えた分割文字データｔには、簡単に原稿番号に対応付け得る情報を付加することができる。そして、付加された原稿番号に対応付ける情報に基づいて、原稿番号に従う昇順などに並び替えることができる。
【００６４】
こうして、表１に示すような、複数の原稿Ｐに対する一連の統合文字データＴが構成される。尚、区別の都合上、図７中分割文字データｔ、統合文字データＴをカタカナで表示しているが、本発明を斯かる態様に何ら限定する意図はないことを理解されたい。
【００６５】
以上、本実施例によれば、例えば、原稿Ｐに手書き若しくは印字された個人情報などを含む機密性を要される情報を、機密性を確保して文字コードデータ化することができる。又、例えば大勢のオペレータを使用することでデータの入力が完了するまでの時間の短縮、コストダウンを図ることができる。
【００６６】
実施例２
従来、文字コードデータ化された情報の信頼性を確保するためには、一般に、読み直し、読み合わせといったチェック作業が行われていた。しかし、斯かるチェック作業は非常に時間がかかるものであると同時に、完全なものでもない。本実施例では、本発明の情報入力システムにおいて、更に文字コードデータ化された情報の信頼性を確保する方法について説明する。
【００６７】
つまり、本実施例によれば、サーバ１０の送受信制御手段１１ａは、同じ分割画像データｇを少なくとも二人のオペレータに文字コードデータ化させる。そして、入力された同一分割画像データｇに対応する少なくとも２つの分割文字データｔをコンピュータ上で比較し、同一であった場合は、各オペレータが正しく入力したものと判断する。一方、少なくとも２つの分割文字データｔが異なっていた場合は、いずれかのオペレータが入力ミスをしたと判断する。そして、管理者は、入力ミスがあったと判断された分割画像データｇに対してのみ、いずれの分割文字データｔが正しいかチェックしたり、或いは新たに入力し直したりすればよい。
【００６８】
この場合、入力された文字データの全部、或いは特にタイプミスが許されない特定の項目に対応する文字データについてのみ、少なくとも二人のオペレータに入力させることができる。又、この時、入力された文字データは、分割文字画像データｔの状態でファイル名ｓをキーとして互いに比較してもよいし、２組の一連の統合文字データＴを作成した後に互いに比較してもよい。
【００６９】
これにより、極めて簡便、且つ、迅速に、文字コードデータ化された情報の信頼性を確保することができ、チェック時間の短縮などにより低コスト化を図ることができる。
【００７０】
更に説明すると、例えば、図１０（ａ）に示すように、実施例１のものと概略同様の情報入力システム１００において、統合部３０の演算制御部３１が、メインメモリ３４に記憶された手順に従って同一のファイル名ｓに対応する少なくとも２つの分割文字データｔを比較し、一致するか否かを判断する誤入力判断手段３１ｂとして機能するようにすることができる。
【００７１】
図１１（ａ）は、この実施例での誤入力判断手順の一例をより具体的に示すフローチャートである。図示の通り、本例では、統合部３０の誤入力判断手段３１ｂは、サーバ１０の分割文字データ記憶手段１３にオペレータのアカウント毎に纏めて保存され、統合部３０に転送された分割文字データｔ群に関して、ファイル名ｓが同じである２つの分割文字データｔ、例えば、オペレータＡ及びＢの２名のオペレータにより入力された分割文字データｔａ、ｔｂをそれぞれ比較する（Ｓ４０１）。そして、オペレータＡとオペレータＢとで相違する分割文字データｔだけを、そのファイル名と関係付けて抽出し、例えば、ファイル名ｓ、オペレータＡによる分割文字データｔａ及びオペレータＢによる分割文字データｔｂが対応付けられた相違リストｌを作成する（分割画像データｇをも統合部３０に転送することで、このデータを用いて、相違リストｌにおいてファイル名ｓと対応付けて、分割文字データｔａ、ｔｂが相違した分割画像データｇ自体も含ませることができる。）（Ｓ４０２）。こうして作成した相違リストｌを、例えば統合部３０のメインメモリ３４などの記憶手段に記憶させる（Ｓ４０３）。
【００７２】
このようにして得た相違リストｌに基づいて、オペレータＡとＢとで相違した分割文字データｔを再入力し、且つ、訂正された分割文字データｔに基づいて統合文字データＴを生成することができる。
【００７３】
即ち、例えば、図１１（ｂ）に示すように、統合部３０の演算制御部３１は、メインメモリ３１などに記憶された相違リストｌを読み込み、この相違リストｌを表示部３２に表示することにより、オペレータＡとＢとで相違した分割文字データｔの再入力を促す（この時、上述のように相違リストｌに分割画像データｇ自体をも含んでいれば、いずれのオペレータが入力ミスをしたのか、或いは入力すべき文字データを判断するのに好都合である。）（Ｓ５０１）。そして、管理者などが統合部３０の入力部３３から相違リストｌの再入力欄に分割文字データｔを再入力する（Ｓ５０２）。
【００７４】
その後、文字データ統合手段３１ａは、ファイル名ｓと関係付けて記憶されたオペレータＡ及び／又はＢによる複数の分割文字データｔのうち、相違リストｌに挙がっているファイル名ｓに対応する分割文字データｔを、再入力されたものに書き換える（Ｓ５０３）。そして、文字データ統合手段３１ａは、ファイル名ｓと関係付けて記憶された訂正後の分割文字データｔと、リスト（構成データ）Ｌとに基づいて、統合文字データＴを得る（Ｓ５０４）。
【００７５】
一方、例えば、図１０（ｂ）に示すように、実施例１のものと概略同様の情報入力システム１００において、サーバ１０の演算制御部１１が、メインメモリ１４に記憶された手順に従って同一のファイル名ｓに対応する少なくとも２つの分割文字データｔを比較し、一致するか否かを判断する誤入力判断手段１１ｂとして機能するようにすることができる。つまり、例えば２名のオペレータを前入力者、後入力者と役割分担する。後入力者が分割文字データｔを入力した後、サーバ１０の誤入力判断手段１１ｂが、メインメモリ１４に記憶された手順に従って、その分割文字データｔを前入力者が入力した分割文字データｔと比較する。そして、両者が同じデータではなかった場合に、サーバ１０の送受信制御手段１１ａが、メインメモリ１４に記憶された手順に従って後入力者にその旨を通知し、後入力者による慎重な確認若しくは再入力（訂正）を促す。これにより、後入力者が誤入力していた場合には、これを訂正することができ、しかも前入力者が誤入力していた場合であっても、後入力者に再度の確認を促して確実に正しいデータを入力させることができるので、後入力者による分割文字データｔを用いて統合文字データＴを得れば、その信頼性は極めて高い。
【００７６】
図１２は、この実施例での誤入力判断手段手順の一例をより具体的に示すフローチャート図である。図示の通り、本例では、オペレータＡを前入力者、オペレータＢを後入力者として、メインメモリ１４に設定されている。そして、図９を参照して説明したような、サーバ１０の送受信制御手段１１ａがオペレータのアカウント毎に分割画像データｇを選択して送信する態様において、オペレータＡには、常に、オペレータＢに対して未だ送信していない分割画像データｇ（換言すれば、オペレータＢには、常に、オペレータＡによって分割文字データｔが入力された分割文字データｇ）を送信するようにする。次いで、図９を参照して説明したのと同様にして、サーバ１０の送受信制御手段１１ａがオペレータＡの端末３から、ファイル名Ｓ１の分割文字データｔ１ａを受信すると（Ｓ６０１）、送受信制御手段１１ａは、この分割文字データｔ１ａを、ファイル名ｓ１と関係付けて、例えば分割文字データ記憶手段１３においてオペレータＡに対して設けられたフォルダ内に記憶させる（Ｓ６０２）。サーバ１０は、次にオペレータＢから分割画像データｇの送信依頼があった場合、既にオペレータＡによって分割文字データｔが入力された分割画像データｇ、ここではファイル名ｓ１の分割画像データｇ１をオペレータＢの端末３に送信する（Ｓ６０３）。次いで、サーバ１０の送受信制御手段１１ａがオペレータＢの端末３から、ファイル名Ｓ１の分割文字データｔ１ｂを受信すると（Ｓ６０４）、送受信制御手段１１ａは、この分割文字データｔ１ｂを、ファイル名ｓ１と関係付けて、例えば分割文字データ記憶手段１３においてオペレータＢに対して設けられたフォルダ内に（或いは演算制御部１１が備える記憶部に一時的に）記憶させる（Ｓ６０５）。
【００７７】
そして、サーバ１０の誤入力判断手段１１ｂは、ファイル名ｓ１に対してオペレータＡにより入力された分割文字データｔ１ａと、オペレータＢにより入力された分割文字データｔ１ｂとを比較して（Ｓ６０６）、両分割文字データｔ１ａ、ｔ１ｂが一致すると判断した場合は（Ｓ６０７）、分割画像データｇの送信など引き続く手順に移行する。
【００７８】
一方、両分割文字データｔ１ａ、ｔ１ｂが相違すると判断した場合には（Ｓ６０７）、サーバ１０の送受信制御手段１１ａは、オペレータＢの端末３に対して、その旨を通知してファイル名ｓ１に対する分割文字データｔ１ｂを再度慎重に確認したり、或いは再度の入力したりすることを促す（Ｓ６０８）。その後、サーバ１０は、オペレータＢの端末３から新たにファイル名ｓ１の分割文字データｔ１ｂを受信すると（Ｓ６０９）、この新たに入力された分割文字データｔ１ｂを、ファイル名ｓ１と関係付けて、例えば分割文字データ記憶手段１３においてオペレータＢに対して設けられたフォルダ内に改めて記憶させる（Ｓ６１０）。その後、分割画像データｇの送信など引き続く手順に移行する。
【００７９】
以上、本実施例によれば、実施例１と同様の効果を奏し得ると共に、簡易、迅速に文字コードデータ化された情報の信頼性を確保することができる。又、入力ミスをした実績をオペレータ毎にデータベース化することで、オペレータのスキルを評価することができ、その評価に基づいて、オペレータの管理、質の向上に役立てることができる。
【産業上の利用可能性】
【００８０】
本発明の情報入力システムは、個人情報（氏名、住所、電話番号、生年月日、性別など）を含む機密性が要される原稿情報の文字コードデータ化において、極めて有用であるが、そのような情報を含まない場合にも勿論適用することができる。
【図面の簡単な説明】
【００８１】
【図１】本発明に係る情報入力システムの一実施例の概略ブロック構成及びフローを示す模式図である。
【図２】本発明に係る情報入力システムの一実施例の概略機能ブロック図である。
【図３】原稿画像データの分割手順を説明するための模式図である。
【図４】分割画像データの記憶態様の一例を示す模式図である。
【図５】リスト（構成データ）の記憶態様の一例を示す模式図である。
【図６】分割文字データの入力画面の一例を示す模式図である。
【図７】分割文字データの統合手順を説明するための模式図である。
【図８】原稿の読み込みからリスト（構成データ）生成までの一連の手順を示すフロー図である。
【図９】オペレータが端末からサーバにアクセスしてから分割文字データがサーバに記憶されるまでの一連の手順を示すフロー図である。
【図１０】本発明に係る情報入力システムの他の実施例における（ａ）統合部の概略機能ブロック図、（ｂ）サーバの概略機能ブロック図である。
【図１１】誤入力を検知する方法の一例における一連の手順を示すフロー図である。
【図１２】誤入力を検知する他の方法における一連の手順を示すフロー図である。
【符号の説明】
【００８２】
１０        サーバ
１１        サーバの演算制御部
１１ａ      送受信制御手段
１１ｂ      誤入力判断手段
１２        分割画像データ記憶手段
１３        分割文字データ記憶手段
２０        分割部
２１        分割部の演算制御部
２１ａ      原稿画像データ分割手段
２１ｂ      構成データ生成手段
３０        統合部
３１        統合部の演算制御部
３１ａ      文字データ統合手段
３１ｂ      誤入力判断手段
４０        スキャナ装置
【図１】
2005135352.tif 000004
【図２】
2005135352.tif 000005
【図３】
2005135352.tif 000006
【図４】
2005135352.tif 000007
【図５】
2005135352.tif 000008
【図６】
2005135352.tif 000009
【図７】
2005135352.tif 000010
【図８】
2005135352.tif 000011
【図９】
2005135352.tif 000012
【図１０】
2005135352.tif 000013
【図１１】
2005135352.tif 000014
【図１２】
2005135352.tif 000015